【手続補正書】
【提出日】平成28年10月5日(2016.10.5)
【手続補正１】
【補正対象書類名】特許請求の範囲
【補正対象項目名】全文
【補正方法】変更
【補正の内容】
【特許請求の範囲】
【請求項１】
可変の乗物スピード環境で、複数の画像表示列を有する表示画像を発生させ、前記表示画像は動いている観察者によって見られるためのものであるシステムにおいて、
通電可能な光エレメントの垂直列を有する表示ユニットと、
制御装置とを具備し、
前記垂直列の各行は、少なくとも１つの通電可能な光エレメントを有し、前記表示ユニットは、移動している乗物によって使用される経路に隣接して位置付けられ、
前記制御装置は、第１の乗物スピードを受信するように構成され、前記第１の乗物スピードに基づいて、前記複数の画像表示列の第１の画像表示列中の少なくとも１つの行エレメントに対する第１の表示パラメータを発生させるように構成され、前記第１の乗物スピードとは異なる第２の乗物スピードを受信するように構成され、前記第２の乗物スピードに基づいて、前記複数の画像表示列の第２の画像表示列中の少なくとも１つの行エレメントに対する第２の表示パラメータを発生させるように構成され、前記表示画像の前記第１の画像表示列と前記第２の画像表示列との両方が、前記通電可能な光エレメントの同一の垂直列からシーケンシャルに発生されるように、前記表示画像を発生させる際に使用するために、前記第１と第２の表示パラメータを前記表示ユニットに対して送るように構成され、
前記観察者の視覚系は、前記第１の画像表示列と前記第２の画像表示列とを、同一の表示画像の一部分として知覚するシステム。
【請求項２】
前記表示ユニットは、一連の表示ユニット中の複数の表示ユニットのうちの１つである請求項１記載のシステム。
【請求項３】
前記表示ユニットのそれぞれは、それらに関係付けられているそれぞれの表示制御装置を有し、前記制御装置は、前記表示制御装置と通信するシステム制御装置である請求項２記載のシステム。
【請求項４】
前記表示制御装置と前記システム制御装置の間の通信は、通信ネットワークを通し、前記通信は、シリアル周辺インターフェース（ＳＰＩ）を使用して同期化され、前記表示制御装置は、前記システム制御装置の物理ロケーションから遠隔の物理ロケーションにある請求項３記載のシステム。
【請求項５】
前記表示ユニットのそれぞれは、合成パノラマ表示画像の一部分である表示画像を表示する請求項２記載のシステム。
【請求項６】
前記制御装置は、前記パノラマ表示画像中の隣接する表示画像間の間隔を制御するようにさらに構成されている請求項５記載のシステム。
【請求項７】
前記制御装置は、前記パノラマ表示画像の隣接する表示画像中の、隣接する画像表示列またはオーバーラップする画像表示列の輝度レベルを修正するように構成されている請求項５記載のシステム。
【請求項８】
前記制御装置は、人間の視覚系によって知覚される画像フリッカを取り扱うために、前記表示画像中の隣接する画像表示列の輝度レベルを修正するように構成されている請求項１記載のシステム。
【請求項９】
前記表示ユニットのそれぞれは、それぞれの表示画像を表示する請求項２記載のシステム。
【請求項１０】
前記制御装置は、前記隣接するそれぞれの表示画像間の間隔を制御するようにさらに構成されている請求項９記載のシステム。
【請求項１１】
前記制御装置は、隣接するそれぞれの表示画像中の、隣接する画像表示列の輝度レベルを修正するように構成されている請求項１０記載のシステム。
【請求項１２】
前記輝度レベルが減少されて、結果として、隣接する画像表示列のそれぞれにおいて示される画像がブランクになる、または、なくなる請求項１０記載のシステム。
【請求項１３】
前記制御装置は、前記乗物の予め規定された構造の周期的な出現を使用して、前記乗物スピードにおける変化を決定するように構成されている請求項１記載のシステム。
【請求項１４】
前記予め規定された構造は、列車の隣接する車両間の隙間である請求項１３記載のシステム。
【請求項１５】
前記表示制御装置のそれぞれは、前記表示ユニットに対する前記乗物スピードを感知するように構成されているスピードセンサを有する請求項３記載のシステム。
【請求項１６】
前記制御装置は、１つ以上の抑制された表示ゾーンが前記表示ユニットの視線内にあるとき、前記表示ユニットの前記行エレメントをアクティブ化から抑制するために、前記１つ以上の抑制された表示ゾーンを識別するようにさらに構成されている請求項１記載のシステム。
【請求項１７】
前記制御装置から遠隔の現場におけるネットワーク制御装置をさらに備え、前記ネットワーク制御装置は、通信ネットワークを通して通信する前記制御装置に対して、画像データの集中ローディング、アンローディング、スケジューリングを提供するように構成されている請求項１記載のシステム。
【請求項１８】
前記画像データは、前記ネットワーク制御装置から前記制御装置へのリアルタイムの表示画像コンテンツとして、または、ほぼリアルタイムの表示画像コンテンツとしてストリーミングされる請求項１７記載のシステム。
【請求項１９】
前記画像データは、前記経路上で近づいてくる乗物の人口統計に基づいているコンテンツを有する請求項１７記載のシステム。
【請求項２０】
複数の表示画像を発生させ、各表示画像は複数の画像表示列を有し、前記複数の表示画像は動いている観察者によって見られるためのものであるシステムにおいて、
一連の表示ユニット中の複数の表示ユニットと、
システム制御装置とを具備し、
各表示ユニットは、通電可能な光エレメントの垂直列を有し、前記垂直列の各行は、少なくとも１つの通電可能な光エレメントを有し、前記複数の表示ユニットは、移動している乗物によって使用される経路に隣接して位置付けられ、
前記表示ユニットのそれぞれは、それらに関係付けられているそれぞれの表示制御装置を有し、
前記システム制御装置は、前記表示制御装置と通信し、前記複数の表示画像のそれぞれの前記複数の画像表示列中の前記行エレメントに対する表示パラメータを発生させるように構成され、前記表示画像のそれぞれの前記複数の画像表示列が、前記表示ユニットのそれぞれの前記通電可能な光エレメントの同一の垂直列からシーケンシャルに発生されるように、前記表示画像を発生させる際に使用するために、前記表示パラメータを前記表示制御装置のそれぞれに対して送るように構成され、前記表示制御装置と前記システム制御装置の間の通信は、通信ネットワークを通し、前記通信は、シリアル周辺インターフェース（ＳＰＩ）を使用して同期化され、前記表示制御装置は、前記システム制御装置の物理ロケーションから遠隔の物理ロケーションにあり、
前記観察者の視覚系は、前記複数の画像表示列を、前記複数の表示画像の同一の表示画像の一部分として知覚するシステム。
【請求項２１】
前記経路上の前記移動している乗物のロケーションを検出する複数のロケーション検出ユニットをさらに具備し、
前記移動している乗物のロケーションを前記ロケーション検出ユニットによって検出したときの、前記移動している乗物のスピードを検出するように、前記スピードセンサは、前記ロケーション検出ユニット間に位置付けられている請求項１５記載のシステム。
【請求項２２】
前記経路上の前記移動している乗物のロケーションとスピードの両方を同時に検出するように、前記移動している乗物の前記経路に沿って、規則的な間隔で配置されている複数のレーザービームセンサをさらに具備する請求項１５記載のシステム。
【手続補正２】
【補正対象書類名】明細書
【補正対象項目名】００３１
【補正方法】変更
【補正の内容】
【００３１】
［００５２］
この態様において、可変のリアルタイムスピードＶにおいて進行している乗客の実際の動きを利用することによって、表示された画像Ｉは画素Ｐの表示コンテンツを含み、表示ユニット１２は、列ＬＮの行Ｒ中に含まれる発光エレメント１６の数よりも多数の見かけ上の画素Ｐを含んでいる表示画像ＩＮを表示できる。例えば、図２ａを参照すると、（Ｌ×１）画素（すなわち、画素Ｐ）からなる１次元の表示装置が垂直に配置され、移動している乗物２４は、ｈｍの垂直距離だけ表示装置１２から離れたポイントにおいて、Ｖｍ／秒のスピードで移動する。オブザーバーの視野角と、表示エリアとによって、値ｈは決定される。図２ｂは、図２ａの上面図である。１つの画像平面の表示時間がｔミリ秒であると想定すると、ｘ＝（ｘ０×ｔ）／１０００の式によって示されるように、オブザーバーはｔミリ秒に対してｘｍだけ移動する。このポイントにおいて、オブザーバーに対して、表示装置は、図２ｃのｘｍだけ相対的に移動しているように見える（図２ｃ）。新たなデータ（受信したパラメータ２２毎の行エレメント１６のアクティブ化）を、１次元の表示装置上で、毎ｔ／Ｍミリ秒で表示させる場合、すなわち、ｔミリ秒中の各ｔ／Ｍミリ秒部分に対して、新たなセットのパラメータ２２が、列Ｌの各エレメント１６に供給される場合、（Ｌ×Ｍ）画素（例えば、画素Ｐ）の表示画像ＩＮを、取得することができる（図２ｄ）。図２ｅ中で示すように、画素のサイズが、デルタｘかけるデルタｙであると想定すると、画像列コンポーネントＬＮのそれぞれに対する、１次元表示装置１２の表示エレメント１６間のアクティブ化時間間隔によってデルタｙを決定し、オブザーバーの移動しているスピードＶと、各行エレメント１６の切り替えスピードとによってデルタｘを決定し、デルタｘは、画像列コンポーネントＬＮのうちの１つを表わす（例えば、新たなセットのパラメータ２２にしたがった、同一の行エレメント１６の連続的なアクティブ化を表わす）。以下にさらに議論するように、連続的なアクティブ化の、アクティブ化のそれぞれに対して同一のスピードを使用して、または、連続的なアクティブ化の、アクティブ化のそれぞれに対して異なるスピードを使用して、（パラメータ２２を介して）表示制御装置によって、同一の行エレメント１６の連続的なアクティブ化を実現できることが認識される。
【手続補正３】
【補正対象書類名】明細書
【補正対象項目名】００５５
【補正方法】変更
【補正の内容】
【００５５】
［００７６］
乗物乗客によって知覚される画像フリッカの制御を助ける別の実施形態は、それぞれ隣接するピクチャ平面（例えば、表示画像ＩＮおよびＩ（Ｎ−１））中の１つ以上の初期および最終の垂直線（すなわち、画像列ＬＮ１およびＬＮｍ）に対して画像が送信されないことによって生成され、乗物乗客により知覚されないように十分狭いが、ピクチャ平面を分離するのには十分広いブラック／ブランクスペース８２の利用であり、人間の視覚系は、後続の表示画像ＩＮの１つ以上の初期の垂直線（すなわち、画像列ＬＮ１）からの、表示画像Ｉ（Ｎ−１）の最後の画像列ＬＮｍのオーバーラップを処理しない。人間の視覚系により明るいフラッシュして知覚され、フリッカとして解釈されることがある、人間の眼に対する刺激の倍加（または、そうでなければ付加）を抑制するのを、これが助ける。乗物２４のスピードプロフィール内の最高スピードＶで、画像がオーバーラップしないぐらい十分広いが、乗物２４のスピードプロフィール内の最低スピードＶにおいて、ブラック／ブランクの画像列ＬＮｍが実際に観察者によって知覚されるほど広くないようにブラック／ブランクスペースを設定できるので、ブランク画像列ＬＮｍを提供するこの用法は、微小なスピード調節をすることなくフリッカを低減するのを助ける。
【手続補正４】
【補正対象書類名】明細書
【補正対象項目名】００７４
【補正方法】変更
【補正の内容】
【００７４】
［００７１］
コンピューティングデバイス１０１は、例えば、プログラミング可能な論理制御装置または（例えば、ＳＰＩコンフィギュレーションを有する）他のネットワーク構成されたデバイスであってもよいことが理解されるだろう。（例えば、ネットワーク制御装置７８に対する）サーバコンピューティングデバイス１０１は、付加的に、メモリ（例えば、データベース）のような２次記憶エレメントを含んでいてもよい。各サーバは、単一のコンピュータシステムとして図示したが、望ましいように、コンピュータプロセッサのネットワークとして実現してもよい。
以下に、本願出願時の特許請求の範囲に記載された発明を付記する。
［１］可変の乗物スピード環境で、複数の画像表示列を有する表示画像を発生させ、前記表示画像は動いている観察者によって見られるためのものであるシステムにおいて、
通電可能な光エレメントの垂直列を有する表示ユニットと、
制御装置とを具備し、
前記垂直列の各行は、少なくとも１つの通電可能な光エレメントを有し、前記表示ユニットは、移動している乗物によって使用される経路に隣接して位置付けられ、
前記制御装置は、第１の乗物スピードを受信するように構成され、前記第１の乗物スピードに基づいて、前記複数の画像表示列の第１の画像表示列中の少なくとも１つの行エレメントに対する第１の表示パラメータを発生させるように構成され、前記第１の乗物スピードとは異なる第２の乗物スピードを受信するように構成され、前記第２の乗物スピードに基づいて、前記複数の画像表示列の第２の画像表示列中の少なくとも１つの行エレメントに対する第２の表示パラメータを発生させるように構成され、前記表示画像の前記第１の画像表示列と前記第２の画像表示列との両方が、前記通電可能な光エレメントの同一の垂直列からシーケンシャルに発生されるように、前記表示画像を発生させる際に使用するために、前記第１と第２の表示パラメータを前記表示ユニットに対して送るように構成され、
前記観察者の視覚系は、前記第１の画像表示列と前記第２の画像表示列とを、同一の表示画像の一部分として知覚するシステム。
［２］前記表示ユニットは、一連の表示ユニット中の複数の表示ユニットのうちの１つである［１］記載のシステム。
［３］前記表示ユニットのそれぞれは、それらに関係付けられているそれぞれの表示制御装置を有し、前記制御装置は、前記表示制御装置と通信するシステム制御装置である［２］記載のシステム。
［４］前記表示制御装置と前記システム制御装置の間の通信は、通信ネットワークを通し、前記通信は、シリアル周辺インターフェース（ＳＰＩ）を使用して同期化され、前記表示制御装置は、前記システム制御装置の物理ロケーションから遠隔の物理ロケーションにある［３］記載のシステム。
［５］前記表示ユニットのそれぞれは、合成パノラマ表示画像の一部分である表示画像を表示する［２］記載のシステム。
［６］前記パノラマ表示画像中の隣接する表示画像間の間隔を制御するように構成されている前記制御装置をさらに備える［５］記載のシステム。
［７］前記制御装置は、前記パノラマ表示画像の隣接する表示画像中の、隣接する画像表示列またはオーバーラップする画像表示列の輝度レベルを修正するように構成されている［５］記載のシステム。
［８］前記制御装置は、人間の視覚系によって知覚される画像フリッカを取り扱うために、前記表示画像中の隣接する画像表示列の輝度レベルを修正するように構成されている［１］記載のシステム。
［９］前記表示ユニットのそれぞれは、それぞれの表示画像を表示する［２］記載のシステム。
［１０］前記隣接するそれぞれの表示画像間の間隔を制御するように構成されている前記制御装置をさらに備える［９］記載のシステム。
［１１］前記制御装置は、隣接するそれぞれの表示画像中の、隣接する画像表示列の輝度レベルを修正するように構成されている［１０］記載のシステム。
［１２］前記輝度レベルが減少されて、結果として、隣接する画像表示列のそれぞれにおいて示される画像がブランクになる、または、なくなる［１０］記載のシステム。
［１３］前記制御装置は、前記乗物の予め規定された構造の周期的な出現を使用して、前記乗物スピードにおける変化を決定するように構成されている［１］記載のシステム。
［１４］前記予め規定された構造は、列車の隣接する車両間の隙間である［１３］記載のシステム。
［１５］前記表示制御装置のそれぞれは、前記表示ユニットに対する前記乗物スピードを感知するように構成されているスピードセンサを有する［３］記載のシステム。
［１６］１つ以上の抑制された表示ゾーンが前記表示ユニットの視線内にあるとき、前記表示ユニットの前記行エレメント１６をアクティブ化から抑制するために、前記１つ以上の抑制された表示ゾーンを識別するように構成されている前記制御装置をさらに備える［１］記載のシステム。
［１７］前記制御装置から遠隔の現場におけるネットワーク制御装置をさらに備え、前記ネットワーク制御装置は、通信ネットワークを通して通信する前記制御装置に対して、画像データの集中ローディング、アンローディング、スケジューリングを提供するように構成されている［１］記載のシステム。
［１８］前記画像データは、前記ネットワーク制御装置から前記制御装置へのリアルタイムの表示画像コンテンツとして、または、ほぼリアルタイムの表示画像コンテンツとしてストリーミングされる［１７］記載のシステム。
［１９］前記画像データは、前記経路上で近づいてくる乗物の人口統計に基づいているコンテンツを有する［１７］記載のシステム。
［２０］複数の表示画像を発生させ、各表示画像は複数の画像表示列を有し、前記複数の表示画像は動いている観察者によって見られるためのものであるシステムにおいて、
一連の表示ユニット中の複数の表示ユニットと、
システム制御装置とを具備し、
各表示ユニットは、通電可能な光エレメントの垂直列を有し、前記垂直列の各行は、少なくとも１つの通電可能な光エレメントを有し、前記複数の表示ユニットは、移動している乗物によって使用される経路に隣接して位置付けられ、
前記表示ユニットのそれぞれは、それらに関係付けられているそれぞれの表示制御装置を有し、
前記システム制御装置は、前記表示制御装置と通信し、前記複数の表示画像のそれぞれの前記複数の画像表示列中の前記行エレメントに対する表示パラメータを発生させるように構成され、前記表示画像のそれぞれの前記複数の画像表示列が、前記表示ユニットのそれぞれの前記通電可能な光エレメントの同一の垂直列からシーケンシャルに発生されるように、前記表示画像を発生させる際に使用するために、前記表示パラメータを前記表示制御装置のそれぞれに対して送るように構成され、前記表示制御装置と前記システム制御装置の間の通信は、通信ネットワークを通し、前記通信は、シリアル周辺インターフェース（ＳＰＩ）を使用して同期化され、前記表示制御装置は、前記システム制御装置の物理ロケーションから遠隔の物理ロケーションにあり、
前記観察者の視覚系は、前記複数の画像表示列を、前記複数の表示画像の同一の表示画像の一部分として知覚するシステム。
［２１］前記経路上の前記移動している乗物のロケーションを検出する複数のロケーション検出ユニットをさらに具備し、
前記移動している乗物２４のロケーションを前記ロケーション検出ユニットによって検出したときの、前記移動している乗物２４のスピードを検出するように、前記スピードセンサは、前記ロケーション検出ユニット間に位置付けられている［１５］記載のシステム。
［２２］前記経路上の前記移動している乗物のロケーションとスピードの両方を同時に検出するように、前記移動している乗物の前記経路に沿って、規則的な間隔で配置されている複数のレーザービームセンサをさらに具備する［１５］記載のシステム。